(57)【要約】      （修正有）【課題】第１接点要素と第１対応接点要素とが完全に相互接続された時、つまり第１および第２コネクタが完全接続状態にある時のみ、第２接点要素が第２対応接点要素に接続されるコネクタ装置を提供する。【解決手段】第１ロック手段１０が配置されたハウジング５を有し、前記ハウジング５に移動自在に配置されるとともに、第２接点要素３０のためのソケット２９を形成するスライダ１９を有する、１コネクタ１と、第１および第２コネクタ１，３が完全に接続された時に第１ロック手段１０に係合する第２ロック手段３３を有し、第２対応接点要素３９を収容する、第２コネクタ３と、第１コネクタ１のハウジング５の前記第１ロック手段１０が第２コネクタ３の第２ロック手段３３に完全に接続された時に、スライダ１９に配置された第２接点要素３０が第２対応接点要素３４と接触するように、該スライダ１９の移動を許容する、保持手段２０，３６と、を含む。【選択図】図２
2006156380.tif 000002
【特許請求の範囲】
【請求項１】
第１コネクタ（１）と、第２コネクタ（３）と、保持手段（２０，３６）と、を備え、
前記第１コネクタ（１）が、第１端部（６）及び第２端部（７）並びに第１接点要素（９）のための第１収容室（８）を有するとともに第１ロック手段（１０）が配置されたハウジング（５）を含み、また、前記ハウジング（５）に移動自在に配置されるとともに第２接点要素（３０）のためのソケット（２９）を形成するスライダ（１９）を含み、
前記第２コネクタ（３）が、第１及び第２コネクタ（１，３）を接続する時に前記第１接点要素（９）へ接続される第１対応接点要素（３２）のためのソケット（３１）を形成し、また、第１および第２コネクタ（１，３）が完全に接続された時に前記第１ロック手段（１０）に係合する第２ロック手段（３３）を含み、また、第２対応接点要素（３９）を収容しており、
前記保持手段（２０，３６）が、前記第１コネクタ（１）の前記ハウジング（５）の前記第１ロック手段（１０）が前記第２コネクタ（３）の前記第２ロック手段（３３）に完全に接続された時のみ、前記スライダ（１９）に配置された前記第２接点要素（３０）が前記第２対応接点要素（３９）と接触するように該スライダ（１９）の移動を許容することを特徴とするコネクタ装置。
【発明の詳細な説明】
【技術分野】
【０００１】
本発明は、第１コネクタ及び第２コネクタを備え、該第１及び第２コネクタが、該第１及び第２コネクタが相互に接続された時に相互に接続される第１接点要素又は第１対応接点要素をそれぞれ収容しているコネクタ装置に関する。第１コネクタは、その長手軸に沿って移動自在であるとともに第１および第２コネクタが相互に完全接続状態を表す位置を取った後に完全接続状態を表す位置へ移動することができるスライダを含んでいる。
【背景技術】
【０００２】
このようなコネクタ装置は特許文献１に記載されている。コネクタ装置を形成する二つのコネクタの一方が、肉厚とされた自由端部を有する弾性アームを含んでいる。第２コネクタは、弾性アームに設けられた肉厚の部分が嵌合する溝を有するスリーブ部分を含んでいる。接続されたコネクタに引張力が作用した時に二つのコネクタが相互に分離できないように、二つのコネクタの一方に摺動スリーブの形のスライダが配置されており、該スライダは、ばねによって前進位置へ押圧されている。二つのコネクタを接続すると、摺動スリーブが配置されたコネクタのスリーブ部分を弾性アームが摺動するので、他方のコネクタに向かって配置された摺動スリーブの端面が弾性アームの肉厚の部分と当接して静止状態に保持されるため、内方へ移動できない。こうして、二つのコネクタの接続中には、係合するコネクタに対して前進した第１位置から始まって摺動スリーブが静止状態に保持され、第１コネクタに対して接続する時には、第２位置へ移動する。二つのコネクタが完全接続位置に達するとすぐに、弾性アームの肉厚部分は、スリーブ部分の溝へ径方向内方に移動できる。摺動スリーブに作用するばねの力によって摺動スリーブは第１位置へ戻るため、摺動スリーブに配置されたスリーブ状のロック部分が肉厚部分を越えて、肉厚部分が径方向外方へ移動することを防止する。引張力が二つのコネクタに作用する時でも、この防止が行われる。そのため、二つのコネクタに配置された上述のロック手段は、対応するコネクタの溝と接続される摺動スリーブと、第２コネクタに配置された、自由端部に肉厚部分を備える弾性アームとの形を取る。
【０００３】
特許文献２には、第１端部と第２端部とを有して第１接点要素のための第１ソケットを形成するハウジングを有する第１コネクタを備えるコネクタ装置が記載されている。ハウジングはさらに、嵌合凹部の形の第１ロック手段を有する。
【０００４】
コネクタ装置はさらに、二つのコネクタの接続中に第１接点要素に接続される第１対応接点要素のためのソケットを形成する第２コネクタを含む。第２コネクタはさらに、ロックアームと自由端部に形成されたフックという形で設けられた第２ロック手段を含む。二つのコネクタが完全に相互接続されると、これらの第２ロック手段は凹部の形の第１ロック手段と嵌合する。さらに、ばねによって前進位置へ移動するスライダが、第１コネクタに配置されている。このスライダは、二つのコネクタが完全に相互接続されていない限りは、他のコネクタの保持アームによって保持されるため、ばねの力に反して、第１位置に始まり第１コネクタの第２位置へ移動する。保持アームが凹部に達するとすぐに、ロック突起を備えるスライダが２本のロックアームの間へ進入し、コネクタの一方を引っ張った時に保持アームが凹部から出ないように保持できる。
【０００５】
上述したものと同じ原理が特許文献３にも開示されている。特許文献４には、第１コネクタと第２コネクタとを備えるコネクタ装置が開示されており、さらに、ばねによって前進位置へ付勢されるスライダが第１コネクタに配置されている。そのうえ第１コネクタは、突起の形の第１ロック手段を有する。完全接続状態において第１コネクタのロック突起の後方に嵌合するロックフックを有する弾性のロックアームを、第２コネクタは有する。二つのコネクタが完全に相互接続されていない限り、ばねの作用を受けるスライダは、第２コネクタへ押し出される方向に作用するため、それぞれの接点要素の完全な接続および接触が行われていない限り、二つのコネクタは相互に押し離される。
【０００６】
同様に、特許文献５にはやはり、二つのコネクタが完全に相互接続されずに二つのコネクタのロック手段が相互に完全に嵌合していない限り、接続手順の間に圧縮応力が与えられたばね手段が作用状態にあって、二つのコネクタを相互に押し離すというコネクタ装置が開示されている。
【０００７】
特許文献１は、初期ロック位置においてばねによって圧縮応力状態に保持された接点保持要素を支承するとともに、接点要素を収容する第１コネクタを備えるコネクタ装置に関連する。対応接点要素を有する第２コネクタが設けられている。二つのコネクタは接続状態において、ロック手段によって相互にロックされる。この場合には自由動作が行われるため、二つのコネクタを相互へ向かってさらに移動させると、接点保持要素が初期ロック位置から解除され、ばね手段が作用状態となり、接点保持要素に接続された接点が接続方向へさらに押されて、第２コネクタの対応接点要素と接触する。
【０００８】
特許文献６には、長手軸と平行に通電導体まで延在する二つの平らな電気接続接点を備えるランプ基部を有する、ランプを着脱自在に接続するためのコネクタ装置を備えるヘッドライトユニットが記載されている。このコネクタは、反射体に装着された装着リングの形の手段を支持するため差込み式に接続することのできるスリーブ状アダプタを含む。スリーブ状アダプタには、ランプ電源のケーブル（ワイヤ）に接続されたプラグイン装置が軸方向に挿入され、この装置は、ランプの接続接点と相互作用を行う雌型コネクタを有する。ランプはアダプタによって反射体に保持される。ヘッドライトユニットを組み立てる際には、反射体の開口部に電気ランプが挿入されるため、開口部はランプ基部を収容する。ランプ基部を収容する手段は反射体の一部であっても、非着脱自在に反射体に接続されてもよい。上述したアダプタは、差込み式に保持される。このアダプタ位置では、ランプ基部の接続接点は正しい位置にあり、プラグイン装置をアダプタへ挿入することにより、プラグイン装置に配置された接点要素への接続が達成される。プラグイン装置は摩擦力のみによってアダプタに固定されている。そのうえ、ランプ回路を起動させる役割を果たす低電圧回路を閉じる追加接点も設けられている。プラグイン装置をアダプタへ挿入することにより、ランプ基部の接点はランプ回路と、低電圧回路を閉じる追加接点に同時に導電接続される。これは、ランプ基部の接点と接触するプラグイン装置の接点には接続手順中にすでに電流が通っていて高電圧を持っていることを意味する。これは故障につながる可能性がある。
【０００９】
【特許文献１】独国特許出願公開第１００１２３２４号明細書
【特許文献２】独国特許出願公開第１９７１４４５９号明細書
【特許文献３】独国特許出願公開第１０２４２０７４号明細書
【特許文献４】米国特許第５１８３４１０号明細書
【特許文献５】独国特許出願公開１０２０８７５０号明細書
【特許文献６】米国特許第５１４４１８９号明細書
【発明の開示】
【発明が解決しようとする課題】
【００１０】
本発明は、第１接点要素と第１対応接点要素とが完全に相互接続された時、つまり第１および第２コネクタが完全接続状態にある時のみ、第２接点要素が第２対応接点要素に接続されるコネクタ装置を提供するという目的に基づいている。
【課題を解決するための手段】
【００１１】
上記目的は、第１コネクタと、第２コネクタと、保持手段と、を備え、前記第１コネクタが、第１端部及び第２端部、並びに第１接点要素のための第１収容室を有するとともに第１ロック手段が配置されたハウジングを含み、また、前記ハウジングに移動自在に配置されるとともに第２接点要素のためのソケットを形成するスライダを含み、前記第２コネクタが、第１及び第２コネクタを接続する時に前記第１接点要素へ接続される第１対応接点要素のためのソケットを形成し、また、第１および第２コネクタが完全に接続された時に前記第１ロック手段に係合する第２ロック手段を含み、また、第２対応接点要素を収容しており、前記保持手段が、前記第１コネクタの前記ハウジングの前記第１ロック手段が前記第２コネクタの前記第２ロック手段に完全に接続された時のみ、前記スライダに配置された前記第２接点要素が前記第２対応接点要素と接触するように該スライダの移動を許容することを特徴とするコネクタ装置により達成される。
【００１２】
この実施形態の長所は、接続手順が二段階で実施されることである。第１および第２コネクタの完全接続状態において第１接点要素と第１対応接点要素とが高電圧を伝送する電気回路にこのようなコネクタ装置を適用すると好都合であり、第２接点要素をそれぞれの第２対応接点要素へ接続して対応する制御回路を閉じた後でのみ、電流が流れ得る。本発明による解決法では、接触を防止するのに、第１接点要素または第１対応接点要素がそれぞれそれほど奥に配置される必要がない、つまり相互に離間する必要がないので、短いコネクタ装置が得られることが長所である。第２接点要素を第２対応接点要素へ接続することにより制御回路を閉じるための前提条件は、第１および第２コネクタ、特に第１接点要素の第１対応接点要素への接続がすでに良好に完了していることである。安全上の理由と他の理由から第１対応接点要素および第２接点要素をそれぞれの対応接点要素へ接続するための接続段階を時間遅延式に実施することが必要であるこのようなコネクタ装置すべてにおいて、安全性の向上が達成される。
【００１３】
さらに、前記第１及び第２コネクタを接続する前に、前記スライダが前記ハウジングに対して第１位置を取り、前記保持手段が、前記スライダに配置された第１保持手段を含み、また、前記第２コネクタに配置され、前記スライダの前記第１保持手段と相互に作用して、該スライダが前記ハウジングに対して第２位置を取るまで該スライダを該第２コネクタに対して移動不能状態で保持する第２保持手段を含み、前記スライダが前記第２位置から前記第１位置へ再び移動自在となることにより前記第２接点要素が前記第２対応接点要素と接触するように、前記第１コネクタの前記ハウジングの前記第１ロック手段が前記第２コネクタの前記第２ロック手段に完全に接続された時に、該スライダの前記第１保持手段と該第２コネクタの前記第２保持手段が解離することが提案される。
【００１４】
前記第１コネクタの前記ハウジングが第１長手軸を形成し、前記第１接点要素のための前記第１収容室が前記第１長手軸と平行に延在し、前記ハウジングに配置された前記スライダが前記第１長手軸と平行に移動することができることが提案される。この場合、第２コネクタは第２長手軸を形成し、第１対応接点要素が第２長手軸と平行に位置調整され、それにより、第１長手軸が第２長手軸と一致した時にコネクタの接続段階を実施できる。
【００１５】
本発明の実施例では、前記スライダの前記第１保持手段を前記第２コネクタの前記第２保持手段から解離させる調節手段を前記第１コネクタの前記ハウジングが有することが提案される。
【００１６】
さらに、前記第２接点要素と前記第２対応接点要素とが電気制御信号回路を閉じる役割を果たすことが提案される。
【００１７】
前記スライダが前記第１位置に保持されると好都合である。前記スライダが前記第１位置に固定されてから、前記第１コネクタが前記第２コネクタへ完全に接続されると、係合状態から移動しないようにロック手段が固定されることが好ましい。こうして、前記第１および第２コネクタが相互に不意に解離することが確実に防止される。前記スライダは自動的にこの位置を取り、この時、前記第１位置を取るようにさらにばねによって付勢される。ロック手段を解除するには、まず前記スライダが移動される必要がある。前記第１ロック手段は、弾性ロックアームの自由端部にロックフックが設けられた弾性ロックアームであることが好ましい。前記第２ロック手段は、前記ロックフックの後方に係合するロック突起であることが好ましい。
【発明を実施するための最良の形態】
【００１８】
本発明による好適な実施例が、図面に概略図示されている。
【００１９】
最初に、第１および第２コネクタについて、図１により、また図１の詳細が拡大図示された図６，７を検討することにより、その詳細に関連して説明する。
【００２０】
本発明によるコネクタ装置は、第１長手軸２を形成する第１コネクタ１と、第２長手軸４を形成する第２コネクタ３（以下、まとめて二つのコネクタとも呼ぶ）とを含む。二つのコネクタ１，３の接続は、２本の長手軸２，４が相互に一致した時に実施される。つまりコネクタは長手軸２，４上において、接続手順では接近し、分離のためには相互に離間するのである。
【００２１】
第１コネクタ１は、例えば、接点要素の組立を容易にするため多数の部品から製造することのできる樹脂材料などの電気絶縁材料で製作されたハウジング５を含む。
【００２２】
第１コネクタ１を形成する部品の相対的な位置の説明を容易にするため、図１に示されたハウジング５の左端を第１端部６と表し、図１に示されたハウジング５の右端を第２端部７と表すことにするが、これら端部は特定のエッジを指すものでない。
【００２３】
この実施例では雌型接点端子である第１接点要素９が収容される第１収容室８が、長手軸２と平行にハウジング５に設けられている。実施例では、第１接点要素９を備えるこのような第１収容室８が二つ設けられている。第１収容室８は第１長手軸２と平行に延在する。第１収容室８に保持された第１接点要素９には、第２端部７でハウジング５から出て例えば自動車のワイヤハーネスの一部を形成する第１ケーブルＫ１が、導電接続されている。
【００２４】
ハウジング５には、例えばロックアーム１０とされた第１ロック手段が配置されている。このロックアーム１０は、図６の表示がより分かりやすい。ロックアーム１０は第１長手軸２と基本的に平行に延在し、第２端部７に面する端部はハウジング５と一体的に形成されている。第１端部６へ向かう方向に延在する部分はハウジング５に接続されていないため、ロックアーム１０の弾性撓曲が実施可能である。第１長手軸２へ向かう方向に突出するとともに、第２端部７へ向かう方向にロック面１２を、第１端部６へ向かう方向に調節面１３を有するフック１１を、ロックアームが第１端部６に面する端部において支持する。ロック面１２と調節面１３は長手軸２に向かって傾斜するように形成され、ロック面１２は、第２端部７へ向かう方向において第１長手軸２とともに、第１端部６へ向かう方向に調節面１３と第１長手軸２とによって形成される角度よりも大きな角度を形成する。これは、ロック面１２が比較的急勾配であることを意味する。
【００２５】
ロックアーム１０の外面は、参照番号１４で示されている。さらにハウジング５は、ロックアーム１０の、ハウジング５に接続された端部の付近で、第１長手軸２から離間する当接部１５を支持する。第１長手軸２についてロックアーム１０と反対側には、第２端部７へ向かう方向に開口する鋭角を第１長手軸２とともに形成する調節面１７を第１端部６に面する端部に有する調節突起１６が、ハウジング５に上向きオフセット状態で形成されている。調節面１７から離間した端部において、調節突起１６は、第１長手軸２に対して垂直に延在する調節面１８を備える。
【００２６】
ハウジング５では、第１端部６に近接した第１位置から第２端部７へ向かう方向に移動した第２位置へ、スライダは長手軸２上を移動自在に案内される。ガイドは詳細には図示されていない。
【００２７】
スライダ１９は、長手軸と平行に配置されて図８に１本のみ見られる２本のばね２８による作用を受けて、第１端部６に近接した第１位置を取る。ばね２８は、ハウジング５とさらにスライダ１９に支持されている。スライダ１９と一体的に形成された保持アーム２０の第１貫通孔２１に設けられるとともにハウジング５の調節突起１６の当接面１８に支持される当接面２２によって、前進した第１位置へ向かう方向におけるスライダ１９の移動が制限される。保持アーム２０は第１保持手段を形成するとともにフレーム状に形成され、当接面２２を有する第１貫通孔２１の端部においてスライダ１９の壁へ一体的に接続された二つの長手方向ウェブが設けられている。長手方向ウェブの自由端部は、これと交差するように延在する保持ウェブ２３に接続されている。この保持ウェブ２３は、第１端部６へ向かう方向に面する端部に第１保持面２４を有する。
【００２８】
ハウジング５の当接部１５の第２貫通孔２５の範囲にスライダの対応当接部２７が当接することにより、前進状態、つまり第１端部６に近接した位置にスライダ１９がさらに保持される。
【００２９】
図６から特によく分かるように、二つのコネクタ１，３の完全接続状態において、フック１１の範囲でロックアーム１０の外面１４と対向して配置され、ロックアーム１０の撓曲を制限する固定ウェブ２６によって、第１端部６に面するスライダ１９の第２貫通孔２５の端部が制限される。
【００３０】
（電気絶縁樹脂材料で製作された）スライダ１９はさらに、図１と図８から特によく分かるように、例えばケーブルＫ２に導電接続された二つの第２接点要素３０が配置されたソケット２９を有し、ケーブルＫ２は、コネクタ装置の接続状態についての信号を送信する信号線を表す。
【００３１】
図１に見られる第２コネクタ３は、第２長手軸４と平行に延在して第１接点要素９のための第１対応接点要素３２をそれぞれ収容する二つのソケット３１を有する。本実施例では、ケーブルＫ１にそれぞれ導電接続された対応の接続部分を介してケーブルに接続される雄型端子として、第１対応接点要素３２が形成されている。雄型端子として形成されたこれら第１対応接点要素３２は、挿入室４１へ突出する。ここには、第１接点要素９を収容するハウジング５の対応部分が挿入される。設けられた二つの第１対応接点要素３２のためのソケット３１は、第２コネクタ３の相互に離間した部分に属する。またこれに対応して、それぞれの挿入室４１へ挿入可能な、第１コネクタ１のハウジング５の部分は、相互に離間したハウジング部分である。
【００３２】
二つのコネクタ１，３を相互にロックするため、第２長手軸４から突出するとともに、接続中に第１コネクタ１のロックアーム１０のフック１１と対向して配置される第２ロック手段として、ロック突起３３は機能する。ロックアーム１０の第１調節面１３と対向して、接続プロセス中にロックアーム１０を撓曲させる調節面３５を、ロック突起３３は有する。ロック突起３３はさらに、第２長手軸４に対して直角に延在して、二つのコネクタ１，３の完全接続状態ではフック１１のロック面１２と相互作用を行うロック面３４を有する。
【００３３】
さらに第２コネクタ３は、第２長手軸４から突出するとともに、二つのコネクタ１，３を相互に分離させるプロセスの間に保持アーム２０を持ち上げる役割を果たす分離面３７を含む、第２保持手段としての保持突起３６を含む。このため、第１端部６へ向かう方向に第１貫通孔２１を制限する、分離面に属する保持ウェブ２３のエッジに、分離面３７が作用する。さらに保持突起３６は、二つのコネクタ１，３を相互に接続するプロセス中に、第１コネクタ１の第１端部６へ向かう方向に面するとともに、第２長手軸４に対して基本的に垂直に延在する第２保持面３８を含む。
【００３４】
最後に、第２コネクタ３は、やはり雄型端子として形成された第２対応接点要素３９のための、長手軸と平行に延在する収容室４０を有する。これらの雄型端子は、雌型端子として形成されてスライダ１９に装備された第２接点要素３０と相互作用を行う、つまり、例えば電気制御回路を閉じるため第２対応接点要素３９に接続された対応のケーブルへケーブルＫ２を接続するように、第２接点要素に接続されるのである。第２コネクタ３はさらに、ハウジングまたは同様の静止部品に固定するためのフランジ４２を含む。
【００３５】
二つのコネクタ１，３を接続および分離するための段階に続いて、これらのコネクタが図１で取っている相互離間位置から始めて、別の図により詳細な説明をする。
【００３６】
図１から始めると、二つのコネクタ１，３の２本の長手軸２，４を相互に一致させた後、コネクタの相互への接近が実施されるため、ハウジング５の、第１接点要素９を有する部分がそれぞれの係合挿入室４１へ進入する。スライダ１９は、第１端部６に近接した第１位置を取る。挿入時には、図２に見られるように、保持アーム２０が保持ウェブ２３の第１保持面２４と接触し、第２コネクタ３の保持突起３６の第２保持面３８がここに支持される。
【００３７】
さらに二つのコネクタ１，３をそれぞれ挿入または接続すると、スライダ１９は、保持アーム２０および第１保持面２４を介して保持突起３６の第２保持面３８に支持された位置に維持されるため、スライダ１９は第２コネクタ３に対する相対移動を実施できず、第２コネクタ３のフランジ４２へ向かうハウジング５の移動と比較して遅延する。この移動には関係しない。ハウジング５のこの移動中には、ロックアーム１０のフック１１の調節面１３が、ロック突起３３の調節面３５と当接する（図３参照）ため、フランジ４２へ向かう方向にハウジング５をさらに挿入する間、ハウジング５のロックアーム１０は相互に一致した長手軸２，４から外方へ弾性撓曲する。この間、スライダ１９により離間が妨げられていないので、ロックアーム１０は長手軸２，４から外方へ移動できる。二つのコネクタ１，３をさらに接続すると、図４，６に見られるように、ロックアーム１０のフック１１がロック突起３３を通過してロック突起３の後方に係合する位置に達する。このため、ロック面３４の範囲でフック１１はロック突起３３の後方となる。同時にこの移動では、相互に一致した長手軸２，４から離間するように保持アーム２０が保持ウェブ２３で弾性撓曲する。図７に一層詳細に見られるハウジング５の調節突起１６が、調節面１７とともに移動する間に、下面と、貫通孔２１に面する制限面との間の保持ウェブ２３のエッジに作用することから、この結果が生じる。こうして保持ウェブ２３はさらに持ち上げられて保持突起３６を越えるため、二つのコネクタ１，３をさらに接続する間に分離面３７に達する。この結果、保持アーム２０が弛緩した初期位置を再び取る。調節突起１６の調節面１７による作用を保持ウェブ２３が受けると、保持ウェブ２３の第１保持面２４が、保持突起３６の第２保持面３８との当接状態から外れる。
【００３８】
そのため、二つの第１接点要素９と第１対応接点要素３２が完全に相互接続された（図５）位置に達するが、電流はまだ流れることができない。
【００３９】
この移動により同時にばね２８が作用状態となるため、スライダ１９が保持アーム２０を介して第２コネクタ３に支持される、第１コネクタ１のハウジング５に対して取る第２位置からスライダ１９が解除されて、スライダ１９が第１端部６の付近に配置される、第１コネクタ１に対する第１位置へ戻る。こうして、第２接点要素３０が導電状態で第２対応接点要素３９に同時に接続される。これによって信号線が相互に接続されるので、第１接点要素９と第１対応接点要素３２とが効果的に相互接続されたことが信号で伝えられる。この時、第１接点要素と第１対応接点要素との間で、電源用の電流の通電が実施される、つまり起動する。第１位置へのスライダ１９の移動中、つまりばね２８によるフランジ４２へ向かう方向での接続状態では、固定ウェブ２６もロックアーム１０のフック１１を通過するため、ハウジング５を引っ張っても、フック１１またはフックに接続されたケーブルＫ１がずれないので、不意に分離することはない。
【００４０】
分離のためには、スライダがフランジ４２から離れて長手軸２，４上を第２位置へ移動するように、手で引っ張ってスライダ１９に作用を加えなければならない。こうして、フック１１と対向して配置された位置から固定ウェブ２６が移動し、第２接点要素３０は第２対応接点要素３９から離間する。こうして、例えばケーブルＫ２と第１接点要素９と第１対応接点要素３２とが属する電流回路を制御電流回路によって遮断できることが信号で伝えられる。
【００４１】
さらに引っ張ると、ロック面１２とロック面３４との相対的な輪郭ゆえにロックアーム１０が弾性撓曲するため、フック１１がロック突起３３を越え、さらに引っ張ると、第１接点要素９は第１対応接点要素３２から離間できる。最後に、図１に見られる位置となる。
【００４２】
上述した本発明の特徴を以下に簡潔にまとめて列記する。
【００４３】
１）．第１コネクタ（１）と、第２コネクタ（３）と、保持手段（２０，３６）と、を備え、前記第１コネクタ（１）が、第１端部（６）及び第２端部（７）並びに第１接点要素（９）のための第１収容室（８）を有するとともに第１ロック手段（１０）が配置されたハウジング（５）を含み、また、前記ハウジング（５）に移動自在に配置されるとともに第２接点要素（３０）のためのソケット（２９）を形成するスライダ（１９）を含み、前記第２コネクタ（３）が、第１及び第２コネクタ（１，３）を接続する時に前記第１接点要素（９）へ接続される第１対応接点要素（３２）のためのソケット（３１）を形成し、また、第１および第２コネクタ（１，３）が完全に接続された時に前記第１ロック手段（１０）に係合する第２ロック手段（３３）を含み、また、第２対応接点要素（３９）を収容しており、前記保持手段（２０，３６）が、前記第１コネクタ（１）の前記ハウジング（５）の前記第１ロック手段（１０）が前記第２コネクタ（３）の前記第２ロック手段（３３）に完全に接続された時のみ、前記スライダ（１９）に配置された前記第２接点要素（３０）が前記第２対応接点要素（３９）と接触するように該スライダ（１９）の移動を許容することを特徴とするコネクタ装置。
【００４４】
２）．上記１）に記載のコネクタ装置において、前記第１及び第２コネクタ（１，３）を接続する前に、前記スライダ（１９）が前記ハウジング（５）に対して第１位置を取り、前記保持手段（２０，３６）が、前記スライダ（１９）に配置された第１保持手段（２０）を含み、また、前記第２コネクタ（３）に配置され、前記スライダ（１９）の前記第１保持手段（２０）と相互に作用して、該スライダ（１９）が前記ハウジング（５）に対して第２位置を取るまで該スライダ（１９）を該第２コネクタ（３）に対して移動不能状態で保持する第２保持手段（３６）を含み、前記スライダ（１９）が前記第２位置から前記第１位置へ再び移動自在となることにより前記第２接点要素（３０）が前記第２対応接点要素（３４）と接触するように、前記第１コネクタ（１）の前記ハウジング（５）の前記第１ロック手段（１０）が前記第２コネクタ（３）の前記第２ロック手段（３３）に完全に接続された時に、該スライダ（１９）の前記第１保持手段（２０）と該第２コネクタ（３）の前記第２保持手段（３６）が解離することを特徴とするコネクタ装置。
【００４５】
３）．上記１）に記載のコネクタ装置において、前記第１コネクタ（１）の前記ハウジング（５）が第１長手軸（２）を形成し、前記第１接点要素（９）のための前記第１収容室（８）が前記第１長手軸（２）と平行に延在し、前記ハウジング（５）に配置された前記スライダ（１９）が前記第１長手軸（２）と平行に移動することができることを特徴とするコネクタ装置。
【００４６】
４）．上記１）に記載のコネクタ装置において、前記第２コネクタ（３）が第２長手軸（４）を形成し且つ、前記第１対応接点要素（３２）が該第２長手軸（４）と平行に位置調整されていることを特徴とするコネクタ装置。
【００４７】
５）．上記３）又は４）に記載のコネクタ装置において、前記第１長手軸（２）が前記第２長手軸（４）と一致した時に前記第１および第２コネクタ（１，３）の接続がなされることを特徴とするコネクタ装置。
【００４８】
６）．上記１）に記載のコネクタ装置において、前記第１コネクタ（１）の前記ハウジング（５）が、前記スライダ（１９）の前記第１保持手段（２０）を前記第２コネクタ（３）の前記第２保持手段（３６）から解離させる調節手段（１５）を有することを特徴とするコネクタ装置。
【００４９】
７）．上記１）に記載のコネクタ装置において、前記第２接点要素（３０）と前記第２対応接点要素（３９）が電気制御信号回路を閉じる役割を果たすことを特徴とするコネクタ装置。
【００５０】
８）．上記２）に記載のコネクタ装置において、前記スライダ（１９）が前記第１位置に保持されることを特徴とするコネクタ装置。
【００５１】
９）．上記８）に記載のコネクタ装置において、前記スライダ（１９）が少なくとも１本ばね（２８）による作用を受けて前記第１位置を取ってこれを維持することを特徴とするコネクタ装置。
【００５２】
１０）．上記８）に記載のコネクタ装置において、第１位置にある前記スライダ（１９）が、前記第１コネクタ（１）と前記第２コネクタ（３）とを完全接続位置に保持している前記第１ロック手段（１０）を、前記第２ロック手段（３３）との係合状態から外れる移動に抗して固定することを特徴とするコネクタ装置。
【００５３】
１１）．上記１）に記載のコネクタ装置において、前記第１ロック手段（１０）が、ロックフック（１１）が設けられた弾性ロックアームであり、前記第２ロック手段（３３）が、該ロックフック（１１）の後方に係合するロック突起であることを特徴とするコネクタ装置。
【図面の簡単な説明】
【００５４】
【図１】コネクタ装置を形成する第１および第２コネクタの接続前の長手方向断面図である。
【図２】第１および第２コネクタの接続プロセスの開始を示す長手方向断面図である。
【図３】図２の状態と比較して第１および第２コネクタの接続が進んだ、長手方向断面図である。
【図４】第１および第２コネクタの相互に対するロックが実施され、第２位置からのスライダの解除が開始した、第１および第２コネクタの長手方向断面図である。
【図５】スライダが第１位置へ完全に戻り、ゆえに第２接点要素と対応する第２対応接点要素とが接続された、最終接続位置における第１および第２コネクタの長手方向断面図である。
【図６】相対的配置に関する完全接続状態に第１および第２コネクタをロックするためのロック手段に関する詳細図である。
【図７】完全接続状態におけるスライダと第２コネクタの保持手段の対応位置または相対的配置を示す詳細図である。
【図８】一部断面図を含む第１コネクタの斜視図である。
【符号の説明】
【００５５】
１  第１コネクタ
２  第１長手軸
３  第２コネクタ
４  第２長手軸
５  ハウジング
６  第１端部
７  第２端部
８  第１収容室
９  第１接点要素
１０  ロックアーム／第１ロック手段
１１  フック
１２  ロック面
１３  調節面
１４  外面
１５  当接部
１６  調節突起
１７  調節面
１８  当接面
１９  スライダ
２０  保持アーム／第１保持手段
２１  第１貫通孔
２２  当接面
２３  保持ウェブ
２４  第１保持面
２５  第２貫通孔
２６  固定ウェブ
２７  対応当接部
２８  ばね
２９  ソケット
３０  第２接点要素
３１  ソケット
３２  第１対応接点要素
３３  ロック突起／第２ロック手段
３４  ロック面
３５  調節面
３６  保持突起／第２保持手段
３７  分離面
３８  第２保持面
３９  第２対応接点要素
４０  収容室
４１  挿入室
４２  フランジ
【図１】
2006156380.tif 000003
【図２】
2006156380.tif 000004
【図３】
2006156380.tif 000005
【図４】
2006156380.tif 000006
【図５】
2006156380.tif 000007
【図６】
2006156380.tif 000008
【図７】
2006156380.tif 000009
【図８】
2006156380.tif 000010